(57)【要約】【課題】片手で把持しているときの操作性を飛躍的に向上することができる携帯端末を提供する。【解決手段】携帯端末１は、略直方体形状からなる端末本体２と、該端末本体２の表面に配された表示画面と、前記端末本体２の裏面に配されて前記表示画面に表示されたカーソルを動作させるための操作部４と、前記操作部４の底面に形成されたタッチパッド５とを備え、該タッチパッド５のパッド面は、前記端末本体２の裏面に対して傾斜して形成され、前記パッド面の傾斜は、前記端末本体２を把持した際の手７に対して根元側５ａが高く、前記手７に対して先端側５ｂが低く形成されている。【選択図】        図２
0003199936.tif 000002
【実用新案登録請求の範囲】
【請求項１】
略直方体形状からなる端末本体と、
該端末本体の表面に配された表示画面と、
前記端末本体の裏面に配されて前記表示画面に表示されたカーソルを動作させるための操作部と、
前記操作部の底面に形成されたタッチパッドとを備え、
該タッチパッドのパッド面は、前記端末本体の裏面に対して傾斜して形成され、
前記パッド面の傾斜は、前記端末本体を把持した際の手に対して根元側が高く、前記手に対して先端側が低く形成されていることを特徴する携帯端末。
【請求項２】
前記根元側は、前記表示画面で表示されているコンテンツの下側と一致し、前記先端側は前記表示画面で表示されているコンテンツの上側と一致していることを特徴とする請求項１に記載の携帯端末。
【請求項３】
前記パッド面は、平面視にて前記手の根元部分を中心とする扇形形状で形成されていることを特徴とする請求項１又は２に記載の携帯端末。
【請求項４】
前記タッチパッドは、前記端末本体の一の縁から他の縁まで連続して切欠いて形成されていることを特徴とする請求項１〜３のいずれかに記載の携帯端末。
【考案の詳細な説明】
【技術分野】
【０００１】
本考案は、携帯端末に関するものである。
【背景技術】
【０００２】
近年、携帯電話、スマートフォン、タブレット等の携帯端末が多く使用されている。これらの携帯端末は表面に表示画面が配され、裏面には電池交換のための蓋があったり、特に何も配されていなかったりしている。これら携帯端末の操作は、表面に備わるボタンを押したり、あるいは表示画面をタッチしたりして行われている。
【０００３】
携帯電話やスマートフォンの場合、これらを操作するとき、一方の手で携帯端末を持ち、他方の手でボタン押し下げや画面タッチを行ってもよいが、片方の手が使えない状態の場合、一つの手で携帯端末を把持しながら操作を行う必要がある。このときは通常、掌に携帯端末の裏面を配し、親指を携帯端末の表面に配し、この親指でボタン押し下げなり画面タッチを行っている。
【０００４】
タブレットの場合、タブレットの大きさは通常画面サイズが７インチから１２インチ程度であるため、本体のサイズもそれなりの大きさとなり、操作は片手で行うことがほとんど不可能である。したがって、例えば満員電車等で片方の手が使えない状態の場合、タブレットの操作ができないため、ただタブレット端末を持っている状態を続けなければならない。
【０００５】
このような携帯端末の片手での操作性を高めるため、端末裏面にタッチ制御部を設けるものが知られている（例えば特許文献１参照）。この端末は、タッチ制御部を裏面に設け、表面の親指による操作に加えて人差し指によるタッチ制御部の操作を可能とするものである。
【先行技術文献】
【特許文献】
【０００６】
【特許文献１】特開２０１１−１３８４６７号公報
【考案の概要】
【考案が解決しようとする課題】
【０００７】
しかしながら、特許文献１では単にタッチ制御部と称する操作部を裏面に設けることを開示するのみであり、最適な形状を提供しているものではない。
【０００８】
本考案は、上記従来技術を考慮したものであり、片手で把持しているときの操作性を飛躍的に向上することができる携帯端末を提供することを目的とする。
【課題を解決するための手段】
【０００９】
前記目的を達成するため、本考案では、略直方体形状からなる端末本体と、該端末本体の表面に配された表示画面と、前記端末本体の裏面に配されて前記表示画面に表示されたカーソルを動作させるための操作部と、前記操作部の底面に形成されたタッチパッドとを備え、該タッチパッドのパッド面は、前記端末本体の裏面に対して傾斜して形成され、前記パッド面の傾斜は、前記端末本体を把持した際の手に対して根元側が高く、前記手に対して先端側が低く形成されていることを特徴する携帯端末を提供する。
【００１０】
好ましい構成例では、前記根元側は、前記表示画面で表示されているコンテンツの下側と一致し、前記先端側は前記表示画面で表示されているコンテンツの上側と一致している。
【００１１】
好ましい構成例では、前記パッド面は、平面視にて前記手の根元部分を中心とする扇形形状で形成されている。
【００１２】
好ましい構成例では、前記タッチパッドは、前記端末本体の一の縁から他の縁まで連続して切欠いて形成されている。
【考案の効果】
【００１３】
本考案によれば、タッチパッドが端末本体の裏面に設けられ、このパッド面が手の根元部分に対して根元側が高く形成されている。このため、端末本体の裏面に設けられたタッチパッドにより人差し指（又は中指）等の操作指を用いて操作する場合、操作指の腹にて確実にパッド面を捉えることができる。これは、タッチパッドを操作する際は操作指の関節を曲げて操作するが、このとき端末本体の裏面に対して操作指の先端部分（第一関節の軸線）は端末本体の裏面の同一平面上に沿って延びているのではなく、端末本体の裏面の同一平面上に対してある程度の角度を有していることを考慮したものである。そのときの操作指の先端部分（第一関節の軸線）は、端末本体の裏面に対して根元側が高く、先端側が低い。このようにタッチパッドに延びる操作指の角度に対してパッド面の角度を合わせることで、操作指がパッド面を確実に捉えて指の腹で正確に操作することを可能としている。したがって、端末本体を片手で把持しているときの操作性を飛躍的に向上することができる。
【００１４】
また、通常端末本体を把持する部分は、表示画面で表示されているコンテンツの下側に対応する部位であるため、このように表示画面に表示されるコンテンツ内容に合わせてパッド面の傾斜を形成すれば、どのような角度でコンテンツが表示されても操作性に支障を来すことがない。例えば、端末本体の上下を入れ替えることでコンテンツの上下も入れ替わるような設定であれば、下側となる部分が高くなっているような傾斜を有するパッド面が二つ形成されているか、あるいは自動で下側となる部分が高くなるように傾斜角度が変更される。
【００１５】
また、パッド面が平面視にて手の根元部分を中心とする扇形形状で形成されることで、操作指も指の根元部分を中心としてその先端は円弧を描くように移動するので、この移動範囲に合わせることができる。この場合の扇形形状は、円の２本の半径とその間にある円弧によって囲まれた図形の他、同一半径を用いた扇形のうち、大きな扇形から小さな扇形を除いた形状（扇形アーチ）も含まれる。
【００１６】
また、タッチパッドが端末本体の任意の一の縁から他の縁まで連続して切欠いて形成されているので、端末本体の側方から操作指をスライドさせるような動きでタッチパッドにアクセスすることができる。
【図面の簡単な説明】
【００１７】
【図１】本考案に係る携帯端末を表面側から視たときの概略斜視図である。
【図２】本考案に係る携帯端末を裏面側から視たときの概略斜視図である。
【図３】本考案に係る携帯端末の概略断面図である。
【図４】本考案に係る別の携帯端末を裏面側から視たときの概略斜視図である。
【図５】本考案に係るさらに別の携帯端末を裏面側から視たときの概略斜視図である。
【考案を実施するための形態】
【００１８】
図１〜図３に示すように、本考案に係る携帯端末１は、略直方体形状からなる端末本体２を備えている。この端末本体２内に各種基板やバッテリー等が内蔵され、携帯端末１の機能を発揮させている。端末本体２の表面には、表示画面３が配されている。この表示画面３には、ユーザーの操作によって所望された内容のコンテンツが表示される。一方で、端末本体２の裏面には、操作部４が配されている。この操作部４は、表示画面３に表示されたカーソル（不図示）を動作させるためのものである。具体的には、操作部４はポインティングデバイスの一種であるタッチパッド５を含んでいる。ユーザはタッチバッド５のパッド面を操作指６（図２の例では人差し指）でなぞることにより、表示画面３に表示されたカーソルを移動させる。カーソルが重ねられたアイコン等をクリックする際は、タッチパッドをタップするか、あるいはタッチパッド５の他に別に設けられたクリックボタン（不図示）を用いる。
【００１９】
図１〜図３の例では携帯端末１がスマートフォンの場合を示している。スマートフォンの場合、ユーザは図１及び図２のように親指を端末本体２の表面側に、その他の指を裏面側に配して端末本体２を把持する。図２を参照すれば明らかなように、この例では操作部４の全てがタッチパッド５にて形成されている。ユーザが端末本体２を把持したときに、操作指６（人差し指）の先端はちょうどタッチパッド５が配された位置にある。画面サイズが４インチ〜６インチのスマートフォンの場合、このタッチパッド５を端末本体２の長手方向中央よりも長手方向に沿ってやや一方の側にずれた位置に設けることが好ましい。このタッチパッド５の位置は携帯端末１の種類によって適宜変更可能である。
【００２０】
ここで、操作部４の底面として形成されたタッチパッド５は、そのパッド面が傾斜して形成されている。パッド面は、実際に操作指６の腹の部分が当接してなぞられる面である。この場合の傾斜は、端末本体２の裏面に対して傾斜しているということである。すなわち、パッド面と端末本体２の裏面とは同一平面ではなく、平行関係でもない。そしてこのパッド面の傾斜は、端末本体２を把持した際の手７に対して根元側５ａが高く、手７に対して先端側５ｂが低く形成されている。すなわち、操作指６の先端側に行くほどパッド面は徐々に低くなるように形成されている。
【００２１】
このように、タッチパッド５が端末本体２の裏面に設けられ、このパッド面が手７に対して根元側５ａが高く形成されている。このため、端末本体２の裏面に設けられたタッチパッド５により人差し指（又は中指）等の操作指６を用いて操作する場合、操作指６の腹にて確実にパッド面を捉えることができる。これは、タッチパッド５を操作する際は操作指６の関節を曲げて操作するが、このとき端末本体２の裏面に対して操作指６の先端部分（第一関節の軸線）は端末本体２の裏面の同一平面上に沿って延びているのではなく、端末本体２の裏面の同一平面上に対してある程度の角度を有していることを考慮したものである。そのときの操作指６の先端部分（第一関節の軸線）は、端末本体２の裏面に対して根元側が高く、先端側が低い。このようにタッチパッド５に延びる操作指６の角度に対してパッド面の角度を合わせることで、操作指６がパッド面を確実に捉えて指の腹で正確に操作することを可能としている。したがって、端末本体２を片手で把持しているときの操作性を飛躍的に向上することができる。タッチパッド５の先端側５ｂから端末本体２の裏面に向けて立ち上がる壁面は傾斜している。この傾斜は、壁面とタッチパッド５のパッド面とが鈍角となるように傾斜している。これにより、操作中に操作指６を根元側５ａから先端側５ｂに移動させた際に、なめらかに操作指６が壁面に沿って移動する。したがって円滑な操作性を得ることができる。
【００２２】
ここで、タッチパッド５の根元側５ａは表示画面３で表示されているコンテンツの下側と一致し、先端側５ｂは表示画面３で表示されているコンテンツの上側と一致している。これはすなわち、ユーザがコンテンツに応じて端末本体２を回転させたりしたときに、常に把持部分はコンテンツに対して下側となることから、パッド面の傾斜も手７の位置に合わせるためである。換言すれば、通常端末本体２を把持する部分は、表示画面３で表示されているコンテンツの下側に対応する部位であるため、このように表示画面３に表示されるコンテンツ内容に合わせてパッド面の傾斜を形成すれば、どのような角度でコンテンツが表示されても操作性に支障を来すことがないということである。例えば、端末本体２の上下を入れ替えることでコンテンツの上下も入れ替わるような設定であれば、下側となる部分が高くなっているような傾斜を有するパッド面が二つ形成されているか、あるいは自動で下側となる部分が高くなるように傾斜角度が変更されるようにしてもよい。一方で、端末本体２を回転させて表示画面３に表示されたコンテンツを回転させることが可能な携帯端末１であっても、パッド面の傾斜に合わせて端末本体２を回転させ、ユーザによってタッチパッド５の根元側５ａとコンテンツの下側を一致させれば上記良好な操作性を得られる。
【００２３】
また、タッチパッド５のパッド面は、平面視にて手７の根元部分を中心とする扇形形状で形成されている。このようにパッド面を形成することで、操作指６の動作範囲に合わせた形状としている。すなわち、操作指６はその指の根元部分を中心とし、その先端は円弧を描くように移動する。この円弧を描く操作指６の移動範囲に合わせている。この場合の扇形形状は、円の２本の半径とその間にある円弧によって囲まれた図形の他、同一半径を用いた扇形のうち、大きな扇形から小さな扇形を除いた形状（扇形アーチ）も含まれる。スマートフォンの場合、「手７の根元部分を中心とする扇形形状」は、端末本体２におけるパッド面の根元側５ａ側の縁の中心を中心とする扇形形状と同義である。
【００２４】
また、図２に示すように、タッチパッド５は、端末本体２の一の縁から他の縁まで連続して切欠いて形成されていてもよい。このようにタッチパッド５が端末本体２の任意の一の縁から他の縁まで連続して切欠いて形成されていることで、端末本体２の側方から操作指６をスライドさせるような動きでタッチパッド５にアクセスすることができる。
【００２５】
別の例として、図４に示すように、タッチパッド５のパッド面を傾斜させることを目的とすれば、タッチパッド５を平面視にて略矩形としてもよい。このような構造であっても、操作指６の傾きとパッド面の傾斜等はほぼあっているので、操作性は向上する。
【００２６】
また、図５に示すように、タブレット端末等の比較的大型の携帯端末１の場合、把持部分は大体端末本体２の各辺の略中央部又は４隅部分になることから、タッチパッド５を図２のような対向する縁に架け渡すのではなく、パッド面を湾曲させて延ばし、同一の縁にその両端が位置するように形成したり、隣り合う縁に対して架け渡すように形成してもよい。これによっても、タッチパッド５のパッド面は、手の根元部分を中心とする扇形形状を有していることになる。
【符号の説明】
【００２７】
１：携帯端末、２：端末本体、３：表示画面、４：操作部、５：タッチパッド、５ａ：根元側、５ｂ：先端側、６：操作指、７：手、
【図１】
0003199936.tif 000003
【図２】
0003199936.tif 000004
【図３】
0003199936.tif 000005
【図４】
0003199936.tif 000006
【図５】
0003199936.tif 000007